(57)【要約】【課題】エレベータの乗りかご内壁面を効率的に有効利用することができる乗りかごを提供することを課題とする。【解決手段】エレベータを構成する乗りかごは、かご内壁面を構成するとともに、かご室内側へ開くことが可能な開閉機構３２を有し、背面側から記憶媒体Ｍの着脱が可能なミラーサイネージ１６と、ミラーサイネージ１６を開閉不能に施錠する施錠機構１８と、を備える。【選択図】図３
2017114672.tif 000002
【特許請求の範囲】
【請求項１】
エレベータを構成する乗りかごであって、
かご内壁面を構成するとともに、かご室内側へ開くことが可能な開閉機構を有し、背面側から記憶媒体の着脱が可能なモニター付きミラーと、
前記モニター付きミラーを開閉不能に施錠する施錠機構と、
を備えたことを特徴とする乗りかご。
【請求項２】
前記施錠機構は、かご室内から鍵を差し込む鍵穴部を有し、
前記鍵穴部に差し込まれた前記鍵の回動により前記モニター付きミラーの開閉可能、開閉不能が切り替えられることを特徴とする請求項１に記載の乗りかご。
【請求項３】
前記鍵穴部を開閉自在に覆う蓋を備えたことを特徴とする請求項２に記載の乗りかご。
【請求項４】
前記施錠機構は、前記モニター付きミラーの上部に抜き差し可能な閂を有しており、該閂の抜き差しの切り替えにより前記モニター付きミラーの開閉可能、開閉不能が切り替えられることを特徴とする請求項１に記載の乗りかご。
【請求項５】
かご室内に配置された操作盤に所定の操作が行われることで前記閂の抜き差し動作を行う閂動作部を有することを特徴とする請求項４に記載の乗りかご。
【請求項６】
前記モニター付きミラーは下部にキャスターを有することを特徴とする請求項１〜５の何れか１項に記載の乗りかご。
【請求項７】
前記モニター付きミラーを閉じた状態では、前記キャスターが、前記モニター付きミラー下側に隣接する部材の上面側に当接していることを特徴とする請求項６に記載の乗りかご。
【発明の詳細な説明】
【技術分野】
【０００１】
本発明の実施形態は、エレベータの昇降路内に設けられる乗りかごに関する。
【背景技術】
【０００２】
エレベータの昇降路内では、乗りかごがレール等に案内されて昇降動するようになっている。
【０００３】
この乗りかごのかご室の側面は、パネルによって形成されている。かご室の側面には、操作盤や手すりなどが配置されている。操作盤は、ドアが開閉する正面側や、かご室から正面を見て左右側に配置され、手すりは左右側に配置されていることが多い（例えば特許文献１参照）。
【先行技術文献】
【特許文献】
【０００４】
【特許文献１】特開2013-119438号公報
【発明の概要】
【発明が解決しようとする課題】
【０００５】
ところで、乗りかごのかご室の側面を、操作盤や手すり以外にも有効に利用することができれば好ましい。
【０００６】
本発明は上記事情に鑑みてなされたものであり、エレベータの乗りかご内壁面を効率的に有効利用することができる乗りかごを提供することを課題とする。
【課題を解決するための手段】
【０００７】
本発明の実施形態に係る乗りかごは、エレベータを構成する乗りかごである。乗りかごは、かご内壁面を構成するとともに、かご室内側へ開くことが可能な開閉機構を有し、背面側から記憶媒体の着脱が可能なモニター付きミラーと、モニター付きミラーを開閉不能に施錠する施錠機構と、を備える。
【図面の簡単な説明】
【０００８】
【図１】（ａ）および（ｂ）は、それぞれ、第１実施形態で、乗りかごのミラーサイネージに映像を表示していない状態、および、映像を表示している状態を示す説明図。
【図２】第１実施形態で、ミラーサイネージが開閉可能に取り付けられることを説明する展開斜視図。
【図３】第１実施形態で、ミラーサイネージが開閉可能に取り付けられていることを説明する斜視図。
【図４】第１実施形態で、ミラーサイネージが開閉可能であることを説明する平面断面図。
【図５】第１実施形態で、ミラーサイネージが施錠機構により開閉可能、開閉不能に切り替えられることを示す説明図。
【図６】第１実施形態の変形例を示す部分斜視図。
【図７】第１実施形態の変形例を示す部分斜視図。
【図８】第２実施形態で、ミラーサイネージが施錠機構により開閉可能、開閉不能に切り替えられることを示す斜視図。
【図９】第２実施形態で、ミラーサイネージが施錠機構により開閉可能、開閉不能に切り替えられることを示す平面図。
【図１０】第２実施形態の変形例を示す模式図。
【図１１】第２実施形態の変形例を示す模式図。
【発明を実施するための形態】
【０００９】
以下、添付図面を参照して、実施形態に係る乗りかごを説明する。なお、第２実施形態では、第１実施形態で説明した構成要素と同様の構成要素には同じ符号を付してその説明を省略する。
【００１０】
［第１実施形態］
まず、第１実施形態について説明する。図１（ａ）および（ｂ）は、それぞれ、本実施形態で、乗りかごのミラーサイネージに映像を表示していない状態、および、映像を表示している状態を示す説明図である。図２は、本実施形態で、ミラーサイネージが開閉可能に取り付けられることを説明する展開斜視図である。図３は、本実施形態で、ミラーサイネージが開閉可能に取り付けられていることを説明する斜視図である。図４は、本実施形態で、ミラーサイネージが開閉可能であることを説明する平面断面図である。図５は、本実施形態で、ミラーサイネージが施錠機構により開閉可能、開閉不能に切り替えられることを示す説明図である。
【００１１】
図１〜図５に示すように、エレベータを構成する本実施形態の乗りかご１０は、かご内壁面１４を構成するとともに、かご室Ｓの内側へ開くことが可能な開閉機構３２を有するミラーサイネージ１６と、ミラーサイネージ１６を開閉不能に施錠する施錠機構１８（図５参照）とを備えている。本実施形態では、ミラーサイネージ１６をかご室背面部（かご室の奥側）に配置している。
【００１２】
ミラーサイネージ１６は、モニター付きミラーであり、メイン機能がパネル表面側を鏡として表示する機能で、このメイン機能にモニター機能が付加されたものである。モニター機能としては、宣伝広告や装飾映像等のコンテンツを表示する機能である。ミラーサイネージ１６は、これらの２つの機能を１つの構成要素で発揮することができるものであり、車椅子利用者が使用する副操作盤が押され乗場呼びが発生したときには、乗場側には鏡の機能だけを表示させてモニター機能を表示させず、それ以外のときには鏡の機能を失わさせずにモニターの機能を優先させて表示するように、制御されている。
【００１３】
図４に示すように、乗りかご１０は、ミラーサイネージ１６の外側に遮蔽板２０を備えており、ミラーサイネージ１６を開いてもかご室内からの落下が確実に防止されている。
【００１４】
ミラーサイネージ１６は、かご内壁面１４を形成しているハーフミラー２２と、ハーフミラー２２の裏面側に設置されたモニター２４とを有する。モニター２４は、背面から、記憶媒体ＭとしてＵＳＢメモリＭ１が着脱自在なＵＳＢ装着部２８を有しており、コンテンツデータが記憶されたＵＳＢメモリＭ１が背面側からＵＳＢ装着部２８に差し込まれることで、コンテンツデータをモニター２４が受信するようになっている。そしてモニター２４は、下部に、後述の鍵が入り込んでミラーサイネージ１６をロックするための凹部２９（図５参照）を有する。なお、記憶媒体Ｍとしては、ミラーサイネージ１６にコンテンツデータを転送できる限り、ＵＳＢメモリＭ１に限らず他の種類の記憶媒体であってもよい。
【００１５】
また、ミラーサイネージ１６は、図２〜図４に示すように、一方の側縁部に、回動により開閉の切り替えを行うための上側回転軸部３４および下側回転軸部３６を、開閉機構３２の構成部材として備えている。そして、他方の側縁部に、モニター２４のサイド側から張り出すＬ字状部材３８を備えている。Ｌ字状部材３８は磁性材（例えば通常の鉄板）で構成されている。
そして、遮蔽板２０の内側（かご室側）には、Ｌ字状部材３８を吸着する磁石４２が配置されており、ミラーサイネージ１６を閉じているときには磁石４２にＬ字状部材３８が当接して磁力で吸着されている。なお、モニター２４のサイド側から張り出して磁石４２で吸着・固定される得る限り、Ｌ字状部材以外の他の部材であってもよい。
【００１６】
ミラーサイネージ１６の周囲には、ミラーサイネージ１６に隣接してかご内壁面を形成している背面部材４６（背面側板部材４６ａ、４６ｂ、背面上板部材４７、および、背面下板部材４８）との間を塞ぐ目地材（モヘア。図示せず）が設けられている。背面側板部材４６ａ、４６ｂ、および、背面下板部材４８の下側には、幅木４９が設けられている。そして、ミラーサイネージ１６を閉じたときには、ハーフミラー２２と背面部材４６の内壁面とが面一になるように設定されている。
【００１７】
施錠機構１８は、かご室内から鍵を差し込む鍵穴部５０と、鍵穴部５０に連続するように固定され、鍵穴部５０に連動して回動する短片状のロック部材５２と、を有する。背面下板部材４８には、ロック部材５２を上方側に回転させたときにロック部材５２の少なくとも先端部側を挿通させるための開口５３が形成されている。この構成により、ロック部材５２の少なくとも先端部が凹部２９に入り込むことでミラーサイネージ１６を開閉不能にし、ロック部材５２が凹部２９から外れることでミラーサイネージ１６を開閉可能にする構成になっている。
【００１８】
更に、乗りかご１０は、ミラーサイネージ１６の下部にキャスター５４を有している。ミラーサイネージを閉じた状態では、このキャスター５４が、ミラーサイネージ下側に隣接しかご内壁面を形成している背面下板部材４８の上面側に当接しており、キャスター５４は、ミラーサイネージ１６を開閉するときに背面下板部材４８の上面を転がるように配置されている。
【００１９】
（作用、効果）
以下、本実施形態の作用、効果を説明する。本実施形態では、モニター２４に映し出されている映像を、モニター２４に記憶されていない新しい映像に変更する場合、ＵＳＢメモリＭ１を交換することで、新しい映像のコンテンツデータをモニター２４に供給する。
【００２０】
その際、まず、鍵穴部５０に形成されている鍵穴５１に鍵を挿入する。そして、鍵を回してロック部材５２をミラーサイネージ１６の凹部２９から外すことで、ミラーサイネージ１６をかご室内へ開くことが可能な開閉可能状態（解錠状態）にする。
【００２１】
更に、吸盤（サクションリフタ）をハーフミラー２２面（かご内壁面）に吸い付け、吸盤を引っ張ることで、ミラーサイネージ１６をかご室内へ開く。
【００２２】
そして、ミラーサイネージ１６の裏面側に装着されているＵＳＢメモリＭ１を引抜き、新しいコンテンツデータが記録されているＵＳＢメモリＭ１をＵＳＢ装着部２８に差し込む。
【００２３】
その後、ミラーサイネージ１６を閉じ、吸盤のハーフミラー２２への吸着を解除するとともに、鍵を回してロック部材５２の先端部を凹部２９に挿入してロック状態にする。この結果、ミラーサイネージ１６はロックされて開閉不能状態になる。
【００２４】
従って、本実施形態では、モニター２４のコンテンツデータを交換する際に、このような簡易な構成で、ミラーサイネージ１６を開いてＵＳＢメモリＭ１を交換するという、かご室内での作業で交換することができる。よって、専用の保守員がかご外で作業を行う必要がなく、また、専用の保守員以外であっても、かご室内でＵＳＢメモリＭ１を短時間で容易に交換することができる。また、ミラーサイネージ１６の保守点検時であっても、保守員がミラーサイネージ１６を開いてモニター２４の裏面側の保守点検を行うことができ、専用の保守員がかご外で作業を行わなくても済む。
【００２５】
また、本実施形態の施錠機構１８は、鍵穴部５０に差し込まれた鍵の回動によりミラーサイネージ１６の開閉可能、開閉不能が切り替えられるようになっているので、施錠機構１８を、簡素で、しかも鍵を有さない乗員では開けられない構成にすることができる。
【００２６】
また、本実施形態では、ミラーサイネージ１６は下部にキャスター５４を有しており、これにより、ミラーサイネージ１６を閉じた状態では、ミラーサイネージ１６の自重を主にキャスター５４で支えることができ、上側回転軸部３４や下側回転軸部３６に過大な曲げモーメントが加えられることを回避できる。
【００２７】
なお、図１（ｂ）では、ミラーサイネージ１６に模様５６が表示される例で描いているが、表示するものは模様に限らず、宣伝のための広告や、スローガンなどを表示してもよい。
【００２８】
また、乗りかご１０は、鍵穴５１を開閉自在に覆う蓋を備えていてもよい。これにより、本実施形態で奏される効果に加え、鍵穴５１がミラーサイネージ１６の下部に配置されていても塵埃などの異物が鍵穴５１に入ることを防止でき、しかも意匠性が向上するという効果も奏される。
【００２９】
この蓋は、着脱自在なキャップ部材で構成されていてもよい。この場合、鍵穴部５０が背面下板部材４８のかご内壁面よりもかご室Ｓの内側に出ていて、キャップ部材はその出ている部分の周囲に係合して覆うものであってもよいし、図６に示すように、鍵穴部５０が背面下板部材４８のかご内壁面よりも引っ込んでいて鍵穴部５０の正面側を覆うものであってもよい。また、蓋は、図７に示すように、鍵穴部５０に合わせた寸法の板状部材６０で構成され、支持機構６２で回動可能に軸支されていてもよい。
【００３０】
また、磁石４２は、複数（例えば、上段、中段、下段の３か所）にわたって配置してもよい。これにより、磁力による吸着力を効果的に高めることができるという効果も奏される。
【００３１】
［第２実施形態］
次に、第２実施形態を説明する。図８は、本実施形態で、ミラーサイネージが施錠機構により開閉可能、開閉不能に切り替えられることを示す斜視図であり、図９は、本実施形態で、ミラーサイネージが施錠機構により開閉可能、開閉不能に切り替えられることを示す平面図である。
【００３２】
図８、図９に示すように、本実施形態の乗りかごは、第１実施形態に比べ、ミラーサイネージおよび施錠機構の構成が異なっている。本実施形態のミラーサイネージ７６は、ボルト状の閂７８によってかご室内への回動が規制される規制部材８０を備えている。本実施形態の施錠機構７９は、上記の閂７８および規制部材８０と、ミラーサイネージ７６が閉じた状態のときにかご外側でミラーサイネージ上側に位置する上フレーム部材８２とで構成されており、上フレーム部材８２には、閂延出し部８４（閂頭部８６からから延び出していて規制部材８０に当接する部分）を挿通させるとともに閂頭部８６の挿通を規制する挿通孔８８が形成されている。この構成により、閂７８の抜き差しの切り替えによりミラーサイネージ７６の開閉可能、開閉不能が切り替えられる構成になっている。本実施形態では、第１実施形態で説明した鍵穴部は設けられていない。
【００３３】
本実施形態では、ミラーサイネージ７６を開く際、専用の保守員がかご上で手を延ばしてから閂７８を引き抜く。なお、閂７８のこの引き抜き作業や後述の差し込み作業では、保守員はかご上にまで上がる必要はなく、かご上から身をのり出して腕を延ばすことで引き抜くことができる。
【００３４】
この引き抜きの結果、ミラーサイネージ７６をかご室内へ開くことが可能な開閉可能状態（解錠状態）になる。そして、第１実施形態と同様、吸盤をハーフミラー２２面（かご内壁面）に吸い付け、吸盤を引っ張ることで、ミラーサイネージ７６をかご室内へ開く。
【００３５】
そして、ミラーサイネージ７６の裏面側に装着されているＵＳＢメモリを引抜き、新しいコンテンツデータが記録されているＵＳＢメモリをＵＳＢ装着部に差し込む。
【００３６】
その後、ミラーサイネージ７６を閉じ、吸盤のハーフミラー２２への吸着を解除し、閂７８をかご上から挿通孔８８に差し込む。この結果、規制部材８０の移動が閂７８によって規制され、ミラーサイネージ７６はロックされて開閉不能状態になる。
【００３７】
従って、本実施形態では、モニター２４のコンテンツデータを交換する際に、このような簡易な構成で、ミラーサイネージ７６を開いてＵＳＢメモリを交換するという、簡易な操作で交換することができ、ミラーサイネージ７６のかご外側にまで保守員が回り込む必要がない。また、ミラーサイネージ１６の保守点検時であっても、保守員がミラーサイネージ１６を開いてモニター２４の裏面側の保守点検を行うことができる。
【００３８】
また、鍵穴部をかご室内に設ける必要がないので、意匠性に優れ、しかも、鍵穴に塵埃などの異物が混入するおそれがなく、いたずらによって鍵穴にピン等が差し込まれる心配もない。
【００３９】
なお、図１０、図１１に示すように、閂７８の抜き差し動作を行う閂動作部９０を配置し、乗りかごのかご室Ｓに配置され行き先階ボタンを有する操作盤９２と閂動作部９０とを接続配線９４で接続し、操作盤９２に所定の操作（例えば、所定の２つのボタンを同時に長押しする操作）が行われることで閂動作部９０により閂の抜き差し動作を行う構成にしてもよい。
【００４０】
これにより、本実施形態で奏される効果に加え、専用の保守員がかご外で作業を行う必要がなく、また、専用の保守員以外であっても、かご室内でＵＳＢメモリを容易に短時間で交換することができるという効果も奏される。
【００４１】
以上、いくつかの実施形態を説明したが、これらの実施形態は、例として提示したものであり、発明の範囲はそれらに限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４２】
１０…乗りかご、１４…かご内壁面、１６…ミラーサイネージ（モニター付きミラー）、１８…施錠機構、２０…遮蔽板、２２…ハーフミラー、２４…モニター、２８…ＵＳＢ装着部、２９…凹部、３２…開閉機構、３４…上側回転軸部、３６…下側回転軸部、３８…Ｌ字状部材、４２…磁石、４６…背面部材、４６ａ、ｂ…背面側板部材、４７…背面上板部材、４８…背面下板部材、５０…鍵穴部、５１…鍵穴、５２…ロック部材、５３…開口、５４…キャスター、５６…模様、５８…キャップ部材、６０…板状部材、６２…支持機構、７６…ミラーサイネージ、７８…閂、７９…施錠機構、８０…規制部材、８２…上フレーム部材、８４…閂延出し部、８６…閂頭部、８８…挿通孔、９０…閂動作部、９２…操作盤、９４…接続配線、Ｍ…記憶媒体、Ｍ１…ＵＳＢメモリ、Ｓ…かご室
【図１】
2017114672.tif 000003
【図２】
2017114672.tif 000004
【図３】
2017114672.tif 000005
【図４】
2017114672.tif 000006
【図５】
2017114672.tif 000007
【図６】
2017114672.tif 000008
【図７】
2017114672.tif 000009
【図８】
2017114672.tif 000010
【図９】
2017114672.tif 000011
【図１０】
2017114672.tif 000012
【図１１】
2017114672.tif 000013